(57)【要約】【課題】  フィラメント電流をフローテイングとせずに直接対地間信号として検出することによってカレントトランスを不要として、回路構成を簡略化するとともに装置を小型化できる熱陰極放電管の電流検出回路を提供する。【解決手段】  熱陰極放電管のフィラメント電流とランプ放電電流を検出してフィラメント駆動回路およびランプ放電用電圧発生回路の制御信号を得るための熱陰極放電管の電流検出回路において、フィラメント駆動電圧とランプ放電用電圧のいずれか一方をフローテイングさせて印加し、フローテイングされた側の電流を対地間電圧信号に置換して検出する。【選択図】  図１
2009301869.tif 000002
【特許請求の範囲】
【請求項１】
熱陰極放電管のフィラメント電流とランプ放電電流を検出してフィラメント駆動回路およびランプ放電用電圧発生回路の制御信号を得るための熱陰極放電管の電流検出回路において、
フィラメント駆動電圧とランプ放電用電圧のいずれか一方をフローテイングさせて印加し、フローテイングされた側の電流を対地間電圧信号に置換して検出することを特徴とする熱陰極放電管の電流検出回路。
【請求項２】
熱陰極放電管のフィラメント電流とランプ放電電流を検出してフィラメント駆動回路およびランプ放電用電圧発生回路の制御信号を得るための熱陰極放電管の電流検出回路において、
フィラメント駆動電圧とランプ放電用電圧のいずれか一方をフローテイングさせて印加し、フィラメント駆動電流とランプ放電用電流をそれぞれ電流検出抵抗降下電圧に等価的に置換し、
対地からフローテイングされた電流置換電圧を他方の非フローテイング電流置換電圧と直列に接続し、
対地間直列和電圧と非フローテイング電流置間電圧の差成分をフローテイングとされた電圧の制御信号として用いることを特徴とする熱陰極放電管の電流検出回路。
【請求項３】
熱陰極放電管のフィラメント電流とランプ放電電流を検出してフィラメント駆動回路およびランプ放電用電圧発生回路の制御信号を得るための熱陰極放電管の電流検出回路において、
フィラメント駆動電圧とランプ放電用電圧のいずれか一方をフローテイングさせて印加し、フィラメント駆動電流とランプ放電用電流をそれぞれ電流検出抵抗降下電圧に等価的に置換し、
対地からフローテイングされた電流置換電圧を他方の非フローテイング電流置換電圧と直列に接続して比較器に入力するとともに、非フローテイング電流置換電圧もその比較器に入力して、
比較器の出力として得られる対地間直列和電圧と非フローテイング電流置間電圧の差成分をフローテイングとされた電圧の制御信号として用いることを特徴とする熱陰極放電管の電流検出回路。
【発明の詳細な説明】
【技術分野】
【０００１】
本発明は、照明装置や液晶表示装置のバックライトなどの用いられる熱陰極放電管（ＨＣＦＬ）の放電電流およびフィラメント電流の検出回路に関するものである。
【背景技術】
【０００２】
熱陰極放電管の駆動回路として図２に示したような回路が用いられている。熱陰極放電管には放電を生じさせるための放電用高電圧とフィラメントを予熱するためのフィラメント電圧を印加する必要がある。2種類の駆動電圧が重畳して印加される必要があるので、通常フィラメントに印加する電圧はフローテイングとすることが必要となる。フローテイングとされるフィラメント駆動電流の検出にはカレントトランス等が必要となる。
【０００３】
図2に示した回路では、トランスの2次巻線と熱陰極放電管のフィラメントに接続されたループ中にカレントトランスCTを接続して、フローテイングとされたフィラメント電流に応じてカレントトランスCTに生じる電流（電圧）をダイオードで整流し、コンデンサで平滑してフィードバック信号を得て、これによってフィラメント駆動回路の出力を制御して所定のフィラメント駆動電圧を得ている。
【特許文献１】特許第２５７３２６８号公報
【特許文献２】特開平１１−１９１９４７号公報
【発明の開示】
【発明が解決しようとする課題】
【０００４】
本発明は、フィラメント電流をフローテイングとせずに直接対地間信号として検出することによってカレントトランスを不要として、回路構成を簡略化するとともに装置を小型化できる熱陰極放電管の電流検出回路を提供するものである。
【課題を解決するための手段】
【０００５】
本発明は、フィラメント電流を検出抵抗の電圧降下に置換することによって上記の課題を解決するものである。すなわち熱陰極放電管のフィラメント電流とランプ放電電流を検出してフィラメント駆動回路およびランプ放電用電圧発生回路の制御信号を得るための熱陰極放電管の電流検出回路において、フィラメント駆動電圧とランプ放電用電圧のいずれか一方をフローテイングさせて印加し、フローテイングされた側の電流を対地間電圧信号に置換して検出することに特徴を有するものである。
【０００６】
より詳細にいえば、熱陰極放電管のフィラメント電流とランプ放電電流を検出してフィラメント駆動回路およびランプ放電用電圧発生回路の制御信号を得るための熱陰極放電管の電流検出回路において、フィラメント駆動電圧とランプ放電用電圧のいずれか一方をフローテイングさせて印加し、フィラメント駆動電流とランプ放電用電流をそれぞれ電流検出抵抗降下電圧に等価的に置換し、対地からフローテイングされた電流置換電圧を他方の非フローテイング電流置換電圧と直列に接続して比較器に入力するとともに、非フローテイング電流置換電圧もその比較器に入力して、比較器の出力として得られる対地間直列和電圧と非フローテイング電流置間電圧の差成分をフローテイングとされた電圧の制御信号として用いることに特徴に特徴を有するものである。
【発明の効果】
【０００７】
本発明によれば、フィラメント電流検出抵抗とランプ電流検出抵抗を用いることによって、フィラメント電流検出抵抗とランプ電流検出抵抗にそれぞれ生じる降下電圧がいずれも対地間電圧に等価的に変換されるので、カレントトランスを用いることなくフィラメント電流とランプ電流を検出することができる。
【実施例】
【０００８】
図１は、本発明の実施例を示す回路図である。熱陰極放電管11の両端にはフィラメント駆動回路12の出力がトランスの２次巻線からフィラメント駆動電圧が印加される。また、熱陰極放電管には高圧発生回路13の出力がトランスの２次巻線から印加される。フィラメント駆動回路とフィラメントのループ中に抵抗Rｆが接続されるとともに、そのフィラメント側に対地間に抵抗Rlを接続する。抵抗Rfのフィラメント駆動回路側はダイオードを介して比較器の+端子側に接続される。なお、ダイオードと比較器の間と対地間にコンデンサが接続されている。
【０００９】
抵抗Rlのフィラメント側のノードと比較器の−端子がダイオードを介して接続されるとともに、ダイオードのアノード側のノードはコンデンサを介して接地されるとともに、このノードから高圧発生回路のフィードバック信号が供給される。
【００１０】
以下、上記の回路の動作について説明する。抵抗Rfはフィラメント電流検出抵抗として作用し、フィラメント電流の電圧降下が生じる。その降下電圧をVFとする。抵抗Rlはランプ電流検出抵抗として作用し、ランプ電流の電圧降下を生じる。その降下電圧をVLとする。これらの降下電圧VF、VLからフィラメントの制御信号を得る。
【００１１】
比較器の+端子には抵抗Rfによる降下電圧VFとともに、抵抗Rlによる降下電圧Vlが印加されることになり、これらの加算された信号VF+VLが入力される。一方比較器の−端子には抵抗Rlの降下電圧VLのみが入力される。比較器による出力は（VF＋VL）−VL＝VFとなって、このフィラメント電流に応じた降下電圧が得られてフィードバック信号としてフィラメント駆動回路に帰還される。
【００１２】
なお、上記の例では従来一般的な方法を採用してフィラメント駆動側をフローテイング構成としたが、それに限られるものではない。
【産業上の利用可能性】
【００１３】
本発明は、熱陰極放電管の電流検出回路として、一方をフローテイングとする回路に広く応用できる。
【図面の簡単な説明】
【００１４】
【図１】本発明の実施例を示す回路図
【図２】従来の熱陰極放電管の電流検出回路の回路図
【符号の説明】
【００１５】
11；熱陰極放電管
12：フィラメント駆動回路
13：高圧発生回路
Rf：フィラメント電流検出抵抗
Rl：ランプ電流検出抵抗
【図１】
2009301869.tif 000003
【図２】
2009301869.tif 000004